(57)【要約】【課題】ファインダ光学系及び閃光発光装置の部品を効率良く空間配置が可能で、より高さを抑えた小型のカメラを提供することである。【解決手段】撮影レンズ１１からの光束は、クイックリターンミラー３１でボディユニット３０の横方向に反射され、一部を除いてハーフミラー７１、スクリーン７２を介して第２ミラー７３でボディユニット３０の上方向へ反射される。第２ミラー７３で反射された光束は、第３ミラー７４でクイックリターンミラー３１で反射された光束と反対方向に反射され、更に第４ミラーによってボディユニット３０後方のアイピース側に反射される。被写体に向けて光を照射するストロボ発光部８０を発光させるための電荷を蓄積するストロボ用コンデンサ８２は、上記第２ミラー７３の反射面の裏面側に配置される。【選択図】      図２
2005300834.tif 000002
【特許請求の範囲】
【請求項１】
撮像光学系から入射する光束を、撮影視野範囲の長手方向である第１の方向に反射する第１の反射面と、
上記第１の反射面の反射光軸上に配され、上記第１の反射面からの反射光束を、上記第１の方向と略直交する方向である第２の方向に反射する第２の反射面と、
上記第２の反射面の反射光軸上に配され、上記第２の反射面からの反射光束を、上記第１の方向と略平行であって、上記第１の方向とその向きが反対の第３の方向に反射する第３の反射面と、
上記第３の反射面の反射光軸上に配され、上記第３の反射面からの反射光束を、上記撮像光学系から入射する光束の入射方向と略同一方向に反射する第４の反射面と、
上記第４の反射面の反射光軸上に配され、上記撮像光学系により結像された像を観察するための接眼光学系と、
被写体に向けて光を照射する発光部を有する閃光発光装置と、
上記発光部を発光させるための電荷を蓄積する第１の電荷蓄積手段と、
を具備し、
上記第１の電荷蓄積手段は、上記第２の反射面及び第３の反射面の少なくとも一方の裏面側に配置されることを特徴とするカメラ。
【請求項２】
上記第１の電荷蓄積手段は略柱状の形状を有し、その長手方向が上記撮像光学系の光軸に沿う方向に配されることを特徴とする請求項１に記載のカメラ。
【請求項３】
上記発光部を発光させるための電荷を蓄積する第２の電荷蓄積手段を更に具備し、
上記第１及び第２の電荷蓄積手段は、それぞれ上記第２及び第３の反射面の裏面側に配置されることを特徴とする請求項１若しくは２に記載のカメラ。
【請求項４】
上記第１の電荷蓄積手段は上記第２の反射面の裏面側に配され、上記発光部は上記第３の反射面の裏面側に配されることを特徴とする請求項１若しくは２に記載のカメラ。
【請求項５】
上記第２の反射面及び第３の反射面の裏面側に対向するように配される電気基板を更に具備し、
上記第１の電荷蓄積手段及び上記発光部は、上記電気基板に電気的に接続されることを特徴とする請求項４に記載のカメラ。
【請求項６】
カメラの外面に配されるもので、少なくとも外部閃光発光装置を取り付けるための外部装置接続部を更に具備し、
上記外部装置接続部は上記電気基板に電気的に接続されることを特徴とする請求項５に記載のカメラ。
【請求項７】
カメラの把持部となるグリップ部と、
上記グリップ部側の側面と略直交する第１の側面と、上記第１の側面と略直交し、上記グリップ部側の側面と略対向する第２の側面と、上記第２の側面と略直交し、上記第１の側面と略対向する第３の側面と、を有する外装体と、
撮像光学系から入射する光束を、上記第２の側面側に向かう第１の方向に反射する第１の反射面と、
上記第１の反射面の反射光軸上に配され、上記第１の反射面からの反射光束を、上記第１の方向と略直交する方向であって、上記第３の側面に向かう第２の方向に反射する第２の反射面と、
上記第２の反射面の反射光軸上に配され、上記第２の反射面からの反射光束を、上記第１の方向と略平行であって、上記グリップ部側に向かう第３の方向に反射する第３の反射面と、
上記第３の反射面の反射光軸上に配され、上記第３の反射面からの反射光束を、上記撮像光学系から入射する光束の入射方向と略同一方向に反射する第４の反射面と、
上記第４の反射面の反射光軸上に配され、上記撮像光学系により結像された像を観察するための接眼光学系と、
被写体に向けて光を照射する発光部を有する閃光発光装置と、
上記発光部を発光させるための電荷を蓄積する第１の電荷蓄積手段と、
を具備し、
上記第１の電荷蓄積手段は、上記第２の反射面と第１、第２の側面とに囲まれる第１の三角領域、若しくは上記第３の反射面と第２、第３の側面とに囲まれる第２の三角領域に配されることを特徴とするカメラ。
【請求項８】
上記第１の電荷蓄積手段は、略柱状の形状を有し、その長手方向が上記撮像光学系の光軸に沿う方向に配されることを特徴とする請求項７に記載のカメラ。
【請求項９】
上記発光部を発光させるための電荷を蓄積する第２の電荷蓄積手段を更に具備し、
上記第１、第２の電荷蓄積手段は、それぞれ上記第１、第２の三角領域に配されることを特徴とする請求項７若しくは８に記載のカメラ。
【請求項１０】
上記第２の反射面及び第３の反射面の裏面側に対向し、上記第２の側面に沿うように配される電気基板を更に具備し、
上記第１の電荷蓄積手段は上記第第１の三角領域に配され、上記発光部は上記第２の三角領域に配されると共に、上記第１の電荷蓄積手段及び上記発光部は、上記電気基板に電気的に接続されることを特徴とする請求項７に記載のカメラ。
【請求項１１】
上記第３の側面に配され、少なくとも外部閃光発光装置を取り付けるための外部装置接続部を更に具備し、
上記外部装置接続部は上記電気基板に電気的に接続されることを特徴とする請求項１０に記載のカメラ。
【請求項１２】
カメラを把持した状態で、上記第１の側面はカメラの下面、上記第３の側面はカメラの上面となることを特徴とする請求項１１に記載のカメラ。
【発明の詳細な説明】
【技術分野】
【０００１】
本発明はカメラに係り、特にカメラシステムの中のＴＴＬ式のファインダ機構と閃光発光装置のカメラ内に於ける配置に関するものである。
【背景技術】
【０００２】
従来、ＴＴＬ式のファインダに関する技術としては、ダハブリズムを用いた一眼レフレックス（以下、単に一眼レフと略記する）式のものが一般的である。この一眼レフ式のカメラは、上下に回転駆動されるクイックリターンミラーと、クイックリターンミラーの上方に配置されたスクリーンと、スクリーンの上方に配置されたダハプリズムと、ダハプリズムの後方に配置されたアイピースとから構成されている。
【０００３】
また、このような従来のカメラでは、閃光発光装置の制御回路とコンデンサをカメラのグリップ部に配置している。具体的には、下記特許文献１乃至特許文献３のように構成されている。
【０００４】
更に、ＴＴＬ式のファインダに関する技術としては、ポロプリズムを用いたものもある。これは、具体的には、カメラの側方に向けて光束を反射する可動反射ミラーと、この可動反射ミラーで反射された光束をカメラの前方に向けて反射するミラーと、このミラーで反射された光束をカメラの上方に向けて反射した後、カメラの後方に向けて反射する三角プリズムとを有している。そして、上記ミラーや三角プリズムの反射面の裏面側に、コンデンサや閃光発光装置の発光部を配置している（例えば、特許文献４参照）。
【特許文献１】特開平６−３１３８４４号公報
【特許文献２】特開平７−１７５１２９号公報
【特許文献３】特開平７−２２５４２２号公報
【特許文献４】特開平７−２０９７４４号公報
【発明の開示】
【発明が解決しようとする課題】
【０００５】
しかしながら、上記特許文献１乃至３に記載されたような構成にすると、ダハプリズムがカメラ上部に配置され、また、自動焦点検出機構がクイックリターンミラーの配置された空間の下側に位置するため、カメラの高さが高くなってしまう。この結果、カメラが大きなものになっていた。加えて、閃光発光装置用のコンデンサという比較的大きな部品をグリップ部に配置するため、グリップ部の寸法が大きくなり、ホールディング性が悪くなってしまうという課題を有していた。
【０００６】
また、上記特許文献４のようなファインダ光学系を用いた場合は、光束をカメラの前方に向けて反射するため、カメラの厚さが増大してしまう。更に、光束を一旦カメラの前方に向けて反射させているため、ミラー等の反射面の裏面にコンデンサや発光部を配置すると、ミラーや三角プリズムとコンデンサや発光部とをカメラの前後方向に配置することになるため、カメラの厚さが更に増大してしまうものであった。
【０００７】
したがって本発明の目的は、一眼レフ式で閃光発光装置を内蔵する小型のカメラを提供することである。
【課題を解決するための手段】
【０００８】
すなわち請求項１に記載の発明は、撮像光学系から入射する光束を、撮影視野範囲の長手方向である第１の方向に反射する第１の反射面と、上記第１の反射面の反射光軸上に配され、上記第１の反射面からの反射光束を、上記第１の方向と略直交する方向である第２の方向に反射する第２の反射面と、上記第２の反射面の反射光軸上に配され、上記第２の反射面からの反射光束を、上記第１の方向と略平行であって、上記第１の方向とその向きが反対の第３の方向に反射する第３の反射面と、上記第３の反射面の反射光軸上に配され、上記第３の反射面からの反射光束を、上記撮像光学系から入射する光束の入射方向と略同一方向に反射する第４の反射面と、上記第４の反射面の反射光軸上に配され、上記撮像光学系により結像された像を観察するための接眼光学系と、被写体に向けて光を照射する発光部を有する閃光発光装置と、上記発光部を発光させるための電荷を蓄積する第１の電荷蓄積手段と、を具備し、上記第１の電荷蓄積手段は、上記第２の反射面及び第３の反射面の少なくとも一方の裏面側に配置されることを特徴とする。
【０００９】
請求項２に記載の発明は、請求項１に記載の発明に於いて、上記第１の電荷蓄積手段は略柱状の形状を有し、その長手方向が上記撮像光学系の光軸に沿う方向に配されることを特徴とする。
【００１０】
請求項３に記載の発明は、請求項１若しくは２に記載の発明に於いて、上記発光部を発光させるための電荷を蓄積する第２の電荷蓄積手段を更に具備し、上記第１及び第２の電荷蓄積手段は、それぞれ上記第２及び第３の反射面の裏面側に配置されることを特徴とする。
【００１１】
請求項４に記載の発明は、請求項１若しくは２に記載の発明に於いて、上記第１の電荷蓄積手段は上記第２の反射面の裏面側に配され、上記発光部は上記第３の反射面の裏面側に配されることを特徴とする。
【００１２】
請求項５に記載の発明は、請求項４に記載の発明に於いて、上記第２の反射面及び第３の反射面の裏面側に対向するように配される電気基板を更に具備し、上記第１の電荷蓄積手段及び上記発光部は、上記電気基板に電気的に接続されることを特徴とする。
【００１３】
請求項６に記載の発明は、請求項５に記載の発明に於いて、カメラの外面に配されるもので、少なくとも外部閃光発光装置を取り付けるための外部装置接続部を更に具備し、上記外部装置接続部は上記電気基板に電気的に接続されることを特徴とする。
【００１４】
請求項７に記載の発明は、カメラの把持部となるグリップ部と、上記グリップ部側の側面と略直交する第１の側面と、上記第１の側面と略直交し、上記グリップ部側の側面と略対向する第２の側面と、上記第２の側面と略直交し、上記第１の側面と略対向する第３の側面と、を有する外装体と、撮像光学系から入射する光束を、上記第２の側面側に向かう第１の方向に反射する第１の反射面と、上記第１の反射面の反射光軸上に配され、上記第１の反射面からの反射光束を、上記第１の方向と略直交する方向であって、上記第３の側面に向かう第２の方向に反射する第２の反射面と、上記第２の反射面の反射光軸上に配され、上記第２の反射面からの反射光束を、上記第１の方向と略平行であって、上記グリップ部側に向かう第３の方向に反射する第３の反射面と、上記第３の反射面の反射光軸上に配され、上記第３の反射面からの反射光束を、上記撮像光学系から入射する光束の入射方向と略同一方向に反射する第４の反射面と、上記第４の反射面の反射光軸上に配され、上記撮像光学系により結像された像を観察するための接眼光学系と、被写体に向けて光を照射する発光部を有する閃光発光装置と、上記発光部を発光させるための電荷を蓄積する第１の電荷蓄積手段と、を具備し、上記第１の電荷蓄積手段は、上記第２の反射面と第１、第２の側面とに囲まれる第１の三角領域、若しくは上記第３の反射面と第２、第３の側面とに囲まれる第２の三角領域に配されることを特徴とする。
【００１５】
請求項８に記載の発明は、請求項７に記載の発明に於いて、上記第１の電荷蓄積手段は、略柱状の形状を有し、その長手方向が上記撮像光学系の光軸に沿う方向に配されることを特徴とする。
【００１６】
請求項９に記載の発明は、請求項７若しくは８に記載の発明に於いて、上記発光部を発光させるための電荷を蓄積する第２の電荷蓄積手段を更に具備し、上記第１、第２の電荷蓄積手段は、それぞれ上記第１、第２の三角領域に配されることを特徴とする。
【００１７】
請求項１０に記載の発明は、請求項７に記載の発明に於いて、上記第２の反射面及び第３の反射面の裏面側に対向し、上記第２の側面に沿うように配される電気基板を更に具備し、上記第１の電荷蓄積手段は上記第第１の三角領域に配され、上記発光部は上記第２の三角領域に配されると共に、上記第１の電荷蓄積手段及び上記発光部は、上記電気基板に電気的に接続されることを特徴とする。
【００１８】
請求項１１に記載の発明は、請求項１０に記載の発明に於いて、上記第３の側面に配され、少なくとも外部閃光発光装置を取り付けるための外部装置接続部を更に具備し、上記外部装置接続部は上記電気基板に電気的に接続されることを特徴とする。
【００１９】
請求項１２に記載の発明は、請求項１１に記載の発明に於いて、カメラを把持した状態で、上記第１の側面はカメラの下面、上記第３の側面はカメラの上面となることを特徴とする。
【発明の効果】
【００２０】
本発明によれば、ファインダ光学系及び閃光発光装置の部品を効率良く空間配置が可能で、より高さを抑えた小型のカメラを提供することができる。
【発明を実施するための最良の形態】
【００２１】
以下、図面を参照して、本発明の実施形態を説明する。
【００２２】
（第１の実施形態）
図１は、本発明の第１の実施形態に係るカメラのシステム構成を示すブロック図である。
【００２３】
図１に於いて、このカメラシステムは、交換レンズとしてのレンズユニット１０と、カメラ本体としてのボディユニット３０から主に構成されており、ボディユニット３０の前面に対して、所望のレンズユニット１０が着脱自在に設定されている。
【００２４】
上記レンズユニット１０は、上記ボディユニット３０の前面に設けられた、図示されないレンズマウントを介して着脱自在に装着可能である。そして、上記レンズユニット１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００２５】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズユニット１０内の各部を駆動制御する。このＬμｃｏｍ１５は、通信コネクタ２０を介して、後述するボディ制御用マイクロコンピュータ５０と電気的に接続がなされ、該ボディ制御用マイクロコンピュータ５０の指令に従って制御される。
【００２６】
一方、ボディユニット３０は、以下のように構成されている。
【００２７】
レンズユニット１０内の撮影レンズ１１、絞り１２を介して入射される図示されない被写体からの光束は、第１ミラーとしてのクイックリターンミラー３１で反射され、第２ミラー７３、第３ミラー７４、第４ミラー７５等を含むファィンダ光学系（図２、図３参照、詳細は後述する）を介して、接眼光学系の接眼レンズ（アイピース）３３に至る。また、クイックリターンミラー３１で反射された被写体光束の一部は、後述するハーフミラー７１で更に反射されて自動測距を行うための焦点位置検出手段であるＡＦセンサユニット３５に導かれる。
【００２８】
上記クイックリターンミラー３１の後方には、フォーカルプレーン式のシャッタ３７と、ＣＣＤユニット４０を保護する透明な光学ローパスフィルタ３８と、光学系を通過した被写体像を光電変換するための撮像光学系の光電変換素子であるＣＣＤユニット４０が設けられている。つまり、クイックリターンミラー３１が光路より退避した場合、撮影レンズ１１及び絞り１２を通った光束は、ＣＣＤユニット４０の撮像面上に結像される。
【００２９】
尚、上記ＣＣＤユニット４０のＣＣＤの撮像範囲の長手方向とカメラ（ボディユニット３０）の長手方向は一致している。また、カメラシステムの撮影視野範囲の長手方向もカメラの長手方向と同一方向である。
【００３０】
このボディユニット３０は、画像処理を行うための画像処理コントローラ４６を有しており、この画像処理コントローラ４６には、ＣＣＤユニット４０に接続されたＣＣＤインターフェース回路４１と、記憶領域として設けられたＳＤＲＡＭ４２、ＦｌａｓｈＲｏｍ４３及び記録メディア４４と、液晶モニタ４５等が接続されている。これらは、電子撮像機能と共に電子記録表示機能を提供できるように構成されている。
【００３１】
上記記録メディア４４は、図示されないカメラのインターフェースを介してボディユニット３０に対し脱着可能な各種のメモリカードや外付けのハードディスクドライブ（ＨＤＤ）等の外部記録媒体である。
【００３２】
上記画像処理コントローラ４６は、測光回路５１を介した測光センサ５２と、ミラー駆動機構５４と、ＡＦセンサ駆動回路５５と、シャッタチャージ機構５６と、シャッタ制御回路５７と、不揮発性メモリ（ＥＥＰＲＯＭ）５８と、ストロボ制御回路６１を介したストロボ装置６２等と共に、このボディユニット５０内の各部を制御するためのボディ制御用マイクロコンピュータ（以下、Ｂμｃｏｍと略記する）５０に接続されている。
【００３３】
上記Ｂμｃｏｍ５０には、更に、当該カメラの動作状態を表示出力によって撮影者へ告知するための動作表示用ＬＣＤ６３と、カメラ操作スイッチ（ＳＷ）６４と、電源回路６５を介して電池６６とが接続されている。
【００３４】
尚、上記Ｂμｃｏｍ５０とＬμｃｏｍ１５とは、レンズユニット１０の装着時に於いて、通信コネクタ２０を介して通信可能に電気的接続がなされる。そして、デジタルカメラとしてＬμｃｏｍ１５がＢμｃｏｍ５０に従属的に協働しながら稼動するようになっている。
【００３５】
上記測光回路５１は、測光センサ５２の電気信号に基づいて測光処理する回路である。上記ミラー駆動機構５４はクイックリターンミラー３１を駆動制御する機構であり、ＡＦセンサ駆動回路５５は上記ＡＦセンサユニット３５を駆動制御するための回路である。
【００３６】
また、シャッタチャージ機構５６は、上記シャッタ３７の先幕と後幕を駆動するばねをチャージするものである。シャッタ制御回路５７は、上記シャッタ３７の先幕と後幕の動きを制御すると共に、Ｂμｃｏｍ５０との間でシャッタの開閉動作を制御する信号とストロボと同調する信号の授受を行う。
【００３７】
不揮発性メモリ５８は、上述したＳＤＲＡＭ４２、ＦｌａｓｈＲｏｍ４３、記録メディア４４以外の記憶領域として、カメラ制御に必要な所定の制御パラメータを記憶する記憶手段であり、Ｂμｃｏｍ５０からアクセス可能に設けられている。
【００３８】
ストロボ装置６２は、図示されない閃光発光管を有して被写体に閃光を照射する閃光発光装置である。そして、ストロボ制御回路６１にて、ストロボ装置６２の閃光発光管の発光に必要な電荷の充電制御や、ストロボ装置６２の発光制御が行われる。このストロボ装置６２の詳細は後述する。
【００３９】
動作表示用ＬＣＤ６３は、当該カメラの動作状態を表示出力によってユーザへ告知するためのものである。上記カメラ操作スイッチ６４は切り替え手段として、例えば撮影動作の実行を指示すると共に後述するようにクイックリターンミラー３１を撮影光路の内外に切り替えるレリーズスイッチ、撮影モードと画像表示モードを切り替えるモード変更スイッチ及びパワースイッチ、等、当該カメラを操作するために必要な操作釦を含むスイッチ群で構成される。
【００４０】
更に、電源回路６５は、電源としての電池６６の電圧を、当該カメラシステムの各回路ユニットが必要とする電圧に変換して供給するために設けられている。
【００４１】
次に、上述したファインダ光学系について、図２及び図３を参照して説明する。
【００４２】
図２及び図３は、第１の実施形態に於いてファインダ観察状態であってファインダ光学系及び閃光発光装置の主要構成部材をカメラボディに組み込んだ状態の配置を示したもので、図２は撮影レンズ側から見た正面図、図３はカメラボディの上面側より見た図である。
【００４３】
また、以下の説明に於いて、カメラの通常の使用状態、すなわち通常の撮影時に撮影者がカメラを構えた場合のカメラの状態を横位置として、ボディユニット３０の長手方向を視野範囲の長手方向と一致させて水平方向としている。
【００４４】
このカメラシステムのボディユニット３０の右側（図２、図３に於いて左側）には、撮影者がカメラを容易に把持するためのグリップ６８が形成されている。そして、このグリップ６８の上面部には、カメラ操作スイッチ６４のレリーズスイッチに対応するレリーズ釦６９が設けられている。
【００４５】
カメラボディ３０は、その内部に各種の構成ユニットが配された状態で、外装体により覆われている。すなわち、カメラボディ３０の側面は、単数、若しくは複数の外装体により構成される第１の側面３０Ａ、第２の側面３０Ｂ及び第３の側面３０Ｃにより覆われている。この第１の側面３０Ａは、カメラボディ３０の把持部であるグリップ６８が配される側の側面と、略直交するように形成されている。そして、上記第２の側面３０Ｂは、上記第１の側面３０Ａと略直交し、グリップ６８が配される側のカメラボディ３０の側面と略対向するように形成されている。更に、第３の側面３０Ｃは、上記第２の側面３０Ｂと略直交し、上記第１の側面３０Ａと略対向するように形成されている。
【００４６】
換言すれば、上記第１の側面３０Ａはカメラボディ３０の下面を形成し、上記第２の側面３０Ｂはカメラボディ３０を撮影レンズ側からみて右側の側面を形成し、上記第３の側面３０Ｃはカメラボディ３０の上面を形成している。
【００４７】
ファインダ光学系は、レンズユニット１０内の撮影レンズ１１を通過した被写体からの光束をアイピース３３へと導くための複数のミラー、すなわち第１ミラーとしてのクイックリターンミラー３１と、第２ミラー７３と、第３ミラー７４と、第４ミラー７５と、ハーフミラー７１と、スクリーン７２とを有して構成される。
【００４８】
上記撮影レンズ１１を通過した被写体からの光束は、図示矢印Ａ方向に回動可能な第１の反射面としてのクイックリターンミラー３１に至る。このクイックリターンミラー３１は、被写体観察時は図２及び図３に実線で示されるように、撮影レンズ１１とＣＣＤユニット４０との間であって、撮影レンズ１１の撮影光路内に配置される。そして、撮像時は、クイックリターンミラー３１はミラー駆動機構５４によって、図３に二点鎖線で示される位置に移動、すなわち撮影光路より退避されて、被写体からの光束が、シャッタ３７、光学ローパスフィルタ３８を介してＣＣＤユニット４０に導かれるようになっている。尚、３９はＣＣＤユニット４０と光学ローパスフィルタ３８との間を封止するためのシール部材である。
【００４９】
被写体観察時、第１の反射部材であるクイックリターンミラー（第１の反射面）３１にて、撮影レンズ１０から入射した被写体光束は、撮影レンズ１０の光軸に対し略９０°の角度であって、ボディユニット３０の長手方向に沿う方向に反射される。つまり、図２に於いて右方向に反射される。換言すれば、クックリターンミラー３１により被写体光束は、第１の側面３０Ａと略平行に上記第２の側面３０Ｂに向かう方向に反射される。
【００５０】
クイックリターンミラー３１の第１反射面にて反射された光束は、該第１反射面の反射光軸上であって、この反射光軸に対し所定の角度だけ傾いて配置されるハーフミラー７１に入射する。そして、クイックリターンミラー３１からの反射光束の一部は、このハーフミラー７１により上記第１反射面の反射光軸とは異なる方向であって、上記第１反射面側に向けて反射される。つまり、クイックリターンミラー３１からの反射光束の一部は、図２に於いて、ボディユニット３０の左斜め下方向に向けてハーフミラー７１により反射される。一方、上記クイックリターンミラー３１からの反射光束の他の一部は、ハーフミラー７１を透過し、後述するスクリーン７２を経て、第２ミラー７３に入射する。
【００５１】
第２の反射部材（第２の反射面）である上記第２ミラー７３は、上記クイックリターンミラー３１からの反射光軸上であって、その反射面である第２の反射面が上記第１の反射面からの反射光軸に対し、所定の角度だけ傾いて配置されている。そして、第２ミラー７３に入射した上記クイックリターンミラー３１からの反射光束は、上記クイックリターンミラー３１からの反射光軸に対し略９０°の角度であって、上記ハーフミラー７１による反射方向とは、上記クイックリターンミラー３１からの反射光軸を挟んで反対側に向けて反射される。つまり、クリックリターンミラー３１の第１反射面からの反射光束は、第２ミラー７３の第２の反射面にて、図２に於いてボディユニット３０の上方に向けて反射される。換言すれば、第２ミラー７３によりクイックリターンミラー３１からの反射光束は、第３の側面３０Ｃに向かう方向に反射される。
【００５２】
上記第２ミラー７３の第２の反射面で反射された光束は、第２の反射面の反射光軸上であって、その反射面である第３の反射面が、上記第２の反射面の反射光軸に対し所定の角度だけ傾いて配置される第３ミラー７４に入射する。
【００５３】
第３の反射部材（第３の反射面）である第３ミラー７４に入射した上記第２ミラー７３からの反射光束は、第３ミラー７４の第３の反射面にて、上記第２の反射面からの反射光軸に対し略９０°の角度であって、上記クイックリターンミラー３１の第１の反射面による反射方向と相反する方向に反射される。つまり、第２ミラー７３の第２の反射面からの反射光束は、第３ミラー７４の第３の反射面にて、図２に於いてボディユニット３０の左方向に向けて反射する。換言すれば、クイックリターンミラー３１の第１の反射面にて反射された光束は、第２、第３ミラー７３、７４によって折り返すように導かれ、第３ミラー７４の第３の反射面の反射光軸は、上記クイックリターンミラー３１の第１の反射面の反射光軸と略平行となり、グリップ６８側に向かう。
【００５４】
上記第３ミラー７４の第３の反射面で反射された光束は、該第３の反射面の反射光軸上であって、その反射面である第４の反射部材（第４の反射面）が上記第３ミラー７４の第３の反射面の反射光軸に対し所定の角度だけ傾いて配置される第４ミラー７５に入射する。
【００５５】
第４の反射面である第４ミラー７５に入射した上記第３ミラー７４からの反射光束は、第４ミラー７５の第４の反射面にて、上記第３ミラー７４からの反射光軸に対し略９０°の角度に反射される。つまり、第３ミラー７４の第３反射面からの反射光束は、第４の反射面の反射光軸上に配置されたアイピース３３に入射する。
【００５６】
このように、撮影レンズ１１からの被写体光束は、上述した第１乃至第４の反射面によって、その像が正立正像となるように反転されてアイピース３３に導かれる。これにより、アイピース３３を通して、撮影者の眼でスクリーン７２上に結像した被写体像が観察可能となる。
【００５７】
尚、本実施形態では、図２及び図３に示されるように、クイックリターンミラー３１、第２ミラー７３、第３ミラー７４及び第４ミラー７５は、入射光束に対して略９０°の角度で反射するように配置しているが、これに限られるものではない。
【００５８】
光路分割素子を構成する上記ハーフミラー７１は、上記クイックリターンミラー３１の第１の反射面の反射光軸上であって、上記スクリーン７２よりも第１の反射面側、すなわちクイックリターンミラー３１側に配置される。そして、ハーフミラー７１はＡＦ用の第１の反射面を有しており、ここで透過されずに反射された一部の光束は、ＡＦセンサユニット３５へ導かれる。このＡＦセンサユニット３５内の図示されないＡＦセンサからの出力が、ＡＦセンサ駆動回路５５を介してＢμｃｏｍ５０へ送信されて、周知の測距処理が行われる。
【００５９】
上記スクリーン７２は、このファインダ光学系に入射された光束を光学像として結像させるために、該光束を拡散させる拡散面を有するもので、ＣＣＤユニット４０の撮像面上と光学的に等価な位置に配置されている。撮影者は、アイピース３３からこのスクリーン７２上に結像された像を見て、撮影画面を確認することができる。
【００６０】
また、上述した第２ミラー７３の第２の反射面で反射された光束は測光センサ５２に至り、これにより、測光センサ５２にて被写体の明るさが測定される。
【００６１】
ボディユニット３０の前面部の上方には、ストロボ装置６２を構成するストロボ発光部８０が設けられている。この場合、ストロボ発光部８０は、撮影レンズ１１からクイックリターンミラー３１に入射する光束の光路の上方に位置している。
【００６２】
上記第２ミラー７３の第２反射面と反対側（裏面側）には、ストロボ装置６２を構成する（第１の）電荷蓄積手段としてのストロボ用コンデンサ８２が配置されている。つまり、第２ミラー７３と第１、第２の側面３０Ａ、３０Ｂとに囲まれた第１の三角領域３０Ｄに、ストロボ用コンデンサ８２は配置される。このストロボ用コンデンサ８２は、リード線等を介してストロボ制御基板８１に実装されて接続されている。このストロボ制御基板８１には、ストロボ制御回路を構成する電子部品が実装されている。そして、上記ストロボ用コンデンサ８２が実装されたストロボ制御基板８１は、第２ミラー７３の裏面側に第２の側面３０Ｂと略平行となるように配置され、ボディユニット３０内の図示されない本体部材に取り付けられている。
【００６３】
尚、上記ストロボ用コンデンサ８２は、ほぼ柱状の形状を有しているもので、本実施形態に於いては円柱形状としている。そして、ストロボ用コンデンサ８２の長手方向が、レンズユニット１０の光軸と略平行となるように配置されている。
【００６４】
次に、このように構成されたカメラシステムの各部の動作について説明する。
【００６５】
先ず、画像処理コントローラ４６により、Ｂμｃｏｍ５０の指令に従ってＣＣＤインターフェース回路４１が制御されて、ＣＣＤユニット４０から画像データが取り込まれる。この画像データは画像処理コントローラ４６でビデオ信号に変換され、液晶モニタ４５にて出力表示される。撮影者は、この液晶モニタ４５の表示画像から、撮影した画像イメージを確認することができる。
【００６６】
また、上記画像データは、一時保管用メモリであるＳＤＲＡＭ４２に取り込まれる。このＳＤＲＡＭ４２は、画像データが変換される際のワークエリア等に使用される。また、この画像データは、ＪＰＥＧデータに変換された後には、記録メディア４４に保管されるように設定されている。
【００６７】
ミラー駆動機構５４は、上述したように、クイックリターンミラー３１を撮像時の退避位置と観察時の観察位置へ駆動するための機構である。ミラー駆動機構５４によってクイックリターンミラー３１が観察位置にあるとき、撮影レンズ１１からの光束は、ＡＦセンサユニット３５側と第２乃至第４ミラー７３〜７５側へと分割されて導かれる。
【００６８】
ＡＦセンサユニット３５内のＡＦセンサからの出力は、ＡＦセンサ駆動回路５５を介してＢμｃｏｍ５０へ送信されて、周知の測距処理が行われる。更に、スクリーン７２の結像光束の一部は第２ミラー７３で反射されて測光センサ５２へ導かれる。ここで検知された光量に基づいて、測光回路５２にて周知の測光処理が行われる。
【００６９】
シャッタ駆動制御回路５７では、Ｂμｃｏｍ５０からシャッタを駆動制御するための信号が受取られると、その信号に基づいてシャッタ３７が制御される。それと共に、シャッタ駆動制御回路５７から、所定のタイミングでＢμｃｏｍ５０にストロボを発光させるためのストロボ同調信号が出力される。そして、Ｂμｃｏｍ５０からは、このストロボ同調信号に基づいて、ストロボ制御回路６１を介してストロボ装置６２を発光させる発光指令信号が出力される。
【００７０】
このように、第１の実施形態によれば、従来グリップ６８内に配置されていたストロボ用コンデンサ６２を、ファィンダ光学系の第２ミラーの裏面側に配置したので、グリップ６８の大きさを小さくすることができると共に、カメラボディの高さ方向を低く抑えることができる。更に、カメラボディの容積が減少することによって、カメラの重量を軽くすることができる。
【００７１】
また、クイックリターンミラー、ハーフミラーの全面を利用して測距用光束を導くので、測距可能な視野範囲を広くすることが容易であるという利点もある。
【００７２】
更に、本実施形態では、ファインダ光学系を、ハーフミラー７１及びスクリーン７２と、クイックリターンミラー３１、第２ミラー７３、第３ミラー７４及び第４ミラー７５の４つのミラーで構成しているが、これに限られるものではない。
【００７３】
次に、図４及び図５を参照して、第１の実施形態の変形例を説明する。
【００７４】
図４及び図５は、第１の実施形態の変形例に於いて、ファインダ観察状態であってファインダ光学系及び閃光発光装置の主要構成部材をカメラボディに組み込んだ状態の配置を示したもので、図４は撮影レンズ側から見た正面図、図５はカメラボディの上面側より見た図である。
【００７５】
上述した第１の実施形態では、第２ミラー７３の第２反射面と反対側（裏面側）に、ストロボ用コンデンサ８２が配置されていたが、この変形例では、第３ミラー７４の第３反射面と反対側（裏面側）にストロボ用コンデンサ８２及びストロボ制御基板８１が配置されている。つまり、ストロボ用コンデンサ８２は、第３ミラー７４と第２、第３の側面３０Ｂ、３０Ｃとに囲まれた第２の三角領域３０Ｅに、その長手方向がレンズユニット１０の光軸と略平行となるように配置されている。そして、ストロボ制御基板８１は、第３ミラー７４の裏面側に第２の側面３０Ｂと略平行となるように配置されている。
【００７６】
また、上述した第１の実施形態ではボディユニット３０の右側（図２、図３に於いて左側）にグリップ６８が形成されていたが、この変形例ではグリップは設けられていない。そしてボディユニット３０の上面部に、カメラ操作スイッチ６４のレリーズスイッチに対応するレリーズ釦６９が設けられている。
【００７７】
この変形例に於けるカメラシステムのその他の構成部材及び動作については、基本的に上述した第１の実施形態と同じであるので、図１乃至図３と同一の部分には同一の参照番号を付して、その図示及び説明は省略する。
【００７８】
このように、第３ミラー７４の第３反射面の反対側にストロボ用コンデンサ８２を設けても、上述した第１の実施形態と同様の効果を得ることができる。加えて、グリップを除去することにより、第１の実施形態のカメラよりも更に小型化、軽量化を図ることができる。
【００７９】
尚、この第１の実施形態の変形例では、第３ミラーの裏面側にストロボ用コンデンサを設けると共に、グリップを除去した構成のカメラシステムを例として示したが、これに限られるものではない。すなわち、ストロボ用コンデンサの配置は第２ミラーの裏面側、第３ミラーの裏面側の何れであっても良いし、グリップは設けても設けなくても良いものである。
【００８０】
（第２の実施形態）
次に、本発明の第２の実施形態を説明する。
【００８１】
図６及び図７は、第２の実施形態に於いてファインダ観察状態であってファインダ光学系及び閃光発光装置の主要構成部材をカメラボディに組み込んだ状態の配置を示したもので、図６は撮影レンズ側から見た正面図、図７はカメラボディの上面側より見た図である。
【００８２】
上述した第１の実施形態ではストロボ用コンデンサ６８を第２ミラー７３若しくは第３ミラー７４の何れかの裏面側としたが、この第２の実施形態では第２ミラー７３及び第３ミラー７４の両方の裏面側に、それぞれストロボ用コンデンサを配置している点が異なっている。
【００８３】
以下、この第２の実施形態について説明するが、ストロボ用コンデンサに関する部材以外のファインダ光学系及びＡＦセンサユニット３５の主要構成部材の構成については、図１乃至図５に示される第１の実施形態及びその変形例のカメラシステムの構成と同じであり、基本的な撮影動作についても同様である。したがって、これらの構成及び動作については、同一の部分には同一の参照番号を付して、その図示及び説明は省略する。
【００８４】
図６及び図７に於いて、第２ミラー７３の第２反射面と反対側（裏面側）には、ストロボ装置６２を構成する第１の電荷蓄積手段としてのストロボ用コンデンサ８２が配置されている。同様に、第３ミラー７４の第３反射面と反対側（裏面側）には、ストロボ装置６２を構成する第２の電荷蓄積手段としてのストロボ用コンデンサ８３が配置されている。つまり、ストロボ用コンデンサ８２は、第２ミラー７３と第１、第２の側面３０Ａ、３０Ｂとに囲まれた第１の三角領域３０Ｄに配置され、ストロボ用コンデンサ８３は、第３ミラー７４と第２、第３の側面３０Ｂ、３０Ｃとに囲まれた第２の三角領域３０Ｅに配置されている。
【００８５】
上記ストロボ用コンデンサ８２及び８３は、それぞれリード線等を介してストロボ制御基板８１に実装されて接続されている。このストロボ制御基板８１には、ストロボ制御回路を構成する電子部品が実装されている。そして、上記ストロボ用コンデンサ８２及び８３が実装されたストロボ制御基板８１は、第２、第３ミラー７３、７４の裏面側に第２の側面３０Ｂと略平行に配され、ボディユニット３０内の図示されない本体部材に取り付けられている。
【００８６】
尚、上記ストロボ用コンデンサ８２及び８３は、ほぼ柱状の形状を有しているもので、本実施形態に於いては円柱形状と成っており、ストロボ用コンデンサ８２及び８３のそれぞれは、その長手方向がレンズユニット１０の光軸と略平行となるように配置されている。
【００８７】
このように、第２の実施形態によれば、第２ミラー７３の裏面側及び第３ミラー７４の裏面側の何れにもストロボ用コンデンサ８２及び８３を配置したので、上述した第１の実施形態と同様の効果を得ることができると共に、カメラ本体を大型化することなくストロボの発光光量を増加させることが可能となる。
【００８８】
勿論、この第２の実施形態に於いても、図示されないが、上述した第１の実施形態の変形例のようにグリップを除去することも可能である。
【００８９】
（第３の実施形態）
次に、本発明の第３の実施形態を説明する。
【００９０】
図８及び図９は、第３の実施形態に於いてファインダ観察状態であってファインダ光学系及び閃光発光装置の主要構成部材をカメラボディに組み込んだ状態の配置を示したもので、図８は撮影レンズ側から見た正面図、図９はカメラボディの上面側より見た図である。
【００９１】
この第３の実施形態は、図２及び図３に示される上述した第１の実施形態に対して、ストロボ装置６２を構成する部材を第２ミラー７３の第２反射面の反対側及び第３ミラー７４の第３反射面の反対側に配置した構成となっている。
【００９２】
尚、この第３の実施形態では、ストロボ装置６２を構成する部材の配置が異なる以外は、上述した第１の実施形態と同じであるので、その他の部分についての構成及び動作については、同一の部分には同一の参照番号を付して、その図示及び説明は省略する。
【００９３】
図８及び図９に於いて、第２ミラー７３の第２反射面と反対側（裏面側）には、ストロボ装置６２を構成するストロボ用コンデンサ８２が配置されている。つまり、ストロボ用コンデンサ８２は、第２ミラー７３と第１、第２の側面３０Ａ、３０Ｂとに囲まれた第１の三角領域３０Ｄに配置されている。このストロボ用コンデンサ８２は、リード線等を介してストロボ制御基板８１に実装されて接続されている。このストロボ制御基板８１には、ストロボ制御回路を構成する電子部品が実装されている。上記ストロボ制御基板８１は、第２、第３ミラー７３、７４の裏面側に第２の側面３０Ｂと略平行に配され、ボディユニット３０内の図示されない本体部材に取り付けられている。
【００９４】
上記ストロボ制御基板８１の一端側（図８に於いて上側）には、フレキシブル基板で構成される接続基板８５が接続されている。この接続基板８５には、ボディユニット３０の外装面に設けられた、外部ストロボ装置等を着脱可能な外部装置接続部としてのホットシュー８６が接続されている。また、上記接続基板８５の近傍でボディユニット３０の前面部の上方で、第３ミラー７４の第３反射面の反対側には、ストロボ装置６２を構成するストロボ発光部８０が設けられている。つまり、ストロボ発光部８０は、第３ミラー７４と第２、第３の側面３０Ｂ、３０Ｃとに囲まれた第２の三角領域３０Ｅに配置されている。
【００９５】
尚、上記ストロボ用コンデンサ８２及び８３は、ほぼ柱状の形状を有しているもので、本実施形態に於いては円柱形状となっており、ストロボ用コンデンサ８２は、その長手方向がレンズユニット１０の光軸と略平行となるように配置されている。
【００９６】
このように、第３の実施形態では、上述した第１、第２の実施形態に比べてストロボ発光部８０を撮影レンズ１１から離したので、ストロボ発光を伴う撮影時のいわゆる赤目現象が生じにくくなる。
【００９７】
また、ストロボ発光部８０を第３ミラー７４の第３反射面の反対側に配置したので、クイックリターンミラー３１の上方の部分を除去することができるので、カメラを小型化、軽量化することができる。
【００９８】
更に、第３の実施形態では、上述した第１、第２の実施形態にてストロボ発光部８０を、撮影レンズ１１からクイックリターンミラー３１に入射する光束の光路の上方に位置していたのに対し、ストロボ制御基板８１の設けられている側に配置して、ストロボ装置の構成部材をまとめている。したがって、ストロボ発光部８０をストロボ制御基板８１の近傍に配置したことにより、ストロボ発光部８０への接続ラインに流れる大電流のために生じるノイズを低減させることができる。
【００９９】
また、ホットシュー８６には一般的に外部ストロボ装置が接続されることが多い。したがって、ホットシュー８６には、ストロボ発光制御用の信号の授受のための接点が配置されることが一般的である。このような場合に於いて、本実施形態によれば、ホットシュー８６がストロボ制御基板８１の近傍に配置されているので、上記したストロボ発光制御用の信号の授受のための接点を配置することも容易である。
【０１００】
勿論、この第３の実施形態に於いても、図示されないが、上述した第１の実施形態の変形例のようにグリップを除去することも可能である。
【０１０１】
更に、上述した実施形態ではデジタルカメラを例として説明したが、これに限られるものではなく、フィルム使用の一眼レフカメラにも適用可能である。
【０１０２】
以上、本発明の実施形態について説明したが、本発明は上述した実施形態以外にも、本発明の要旨を逸脱しない範囲で種々の変形実施が可能である。
【図面の簡単な説明】
【０１０３】
【図１】本発明の第１の実施形態に係るカメラのシステム構成を示すブロック図である。
【図２】本発明の第１の実施形態に於いてファインダ観察状態であってファインダ光学系及び閃光発光装置の主要構成部材をカメラボディに組み込んだ状態の配置を示したもので、撮影レンズ側から見た正面図である。
【図３】本発明の第１の実施形態に於いてファインダ観察状態であってファインダ光学系及び閃光発光装置の主要構成部材をカメラボディに組み込んだ状態の配置を示したもので、カメラボディの上面側より見た図である。
【図４】本発明の第１の実施形態の変形例に於いて、ファインダ観察状態であってファインダ光学系及び閃光発光装置の主要構成部材をカメラボディに組み込んだ状態の配置を示したもので、撮影レンズ側から見た正面図である。
【図５】本発明の第１の実施形態の変形例に於いて、ファインダ観察状態であってファインダ光学系及び閃光発光装置の主要構成部材をカメラボディに組み込んだ状態の配置を示したもので、カメラボディの上面側より見た図である。
【図６】本発明の第２の実施形態に於いてファインダ観察状態であってファインダ光学系及び閃光発光装置の主要構成部材をカメラボディに組み込んだ状態の配置を示したもので、撮影レンズ側から見た正面図である。
【図７】本発明の第２の実施形態に於いてファインダ観察状態であってファインダ光学系及び閃光発光装置の主要構成部材をカメラボディに組み込んだ状態の配置を示したもので、カメラボディの上面側より見た図である。
【図８】本発明の第３の実施形態に於いてファインダ観察状態であってファインダ光学系及び閃光発光装置の主要構成部材をカメラボディに組み込んだ状態の配置を示したもので、撮影レンズ側から見た正面図である。
【図９】本発明の第３の実施形態に於いてファインダ観察状態であってファインダ光学系及び閃光発光装置の主要構成部材をカメラボディに組み込んだ状態の配置を示したもので、カメラボディの上面側より見た図である。
【符号の説明】
【０１０４】
１０…レンズユニット、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…ボディユニット、３１…クイックリターンミラー、３３…接眼レンズ（アイピース）、３５…ＡＦセンサユニット、３７…シャッタ、３８…光学ローパスフィルタ、４０…ＣＣＤユニット、４１…ＣＣＤインターフェース回路、４５…液晶モニタ、４６…画像処理コントローラ、５０…ボディ制御用マイクロコンピュータ（Ｂμｃｏｍ）、５１…測光回路、５２…測光センサ、５４…ミラー駆動機構、５５…ＡＦセンサ駆動回路、５６…シャッタチャージ機構、５７…シャッタ制御回路、５８…不揮発性メモリ（ＥＥＰＲＯＭ）、６２…ストロボ装置、６３…動作表示用ＬＣＤ、６４…カメラ操作スイッチ（ＳＷ）、６５…電源回路、６８…グリップ、６９…レリーズ釦、７１…ハーフミラー、７２…スクリーン、７３…第２ミラー、７４…第３ミラー、７５…第４ミラー、８０…ストロボ発光部、８１…ストロボ制御基板、８２、８３…ストロボ制御用コンデンサ。
【図１】
2005300834.tif 000003
【図２】
2005300834.tif 000004
【図３】
2005300834.tif 000005
【図４】
2005300834.tif 000006
【図５】
2005300834.tif 000007
【図６】
2005300834.tif 000008
【図７】
2005300834.tif 000009
【図８】
2005300834.tif 000010
【図９】
2005300834.tif 000011